(57)【要約】【課題】自信の機能を損ねず、厚みを薄くして取付スペースを節約しうるタンクユニットの提供。【解決手段】球タンク部２０１と、タンクレール部２０２と、球タンク部２０１の底板と前記タンクレール部２０２の底板とが含まれる連続する一つの底板と、側壁とを備えるタンクユニットであって、球タンク部２０１は、幅方向に向けて傾斜する第１傾斜面と、奥行き方向に傾斜する第２傾斜面とを有し、タンクレール部２０２は、第１傾斜面とは逆向きに傾斜する第３傾斜面を有し、前記一つの底板は、さらに、タンクレール部２０２の底板から球タンク部２０１の底板に接続される段差板を有し、さらに、球センサを備える。【選択図】図４
2009119136.tif 000002
【特許請求の範囲】
【請求項１】
遊技盤を支持する前枠の裏側に設けられ、台島設備から供給される遊技球を受け取る球タンク部と、
前記球タンク部から流下する遊技球を整列させて払出装置に向けて流下させ、前記球タンク部より前記遊技盤から離れた位置に前記球タンク部に並設されるタンクレール部と、
少なくとも前記球タンク部の底板と前記タンクレール部の底板とが含まれる連続する一つの底板と、
前記一つの底板を囲むように前記一つの底板から起立する側壁とを備え、上方が開口する一つの箱状に形成されるタンクユニットであって、
前記球タンク部の底板は、
前記遊技盤よりも上方に設けられ、前記遊技盤の幅方向に向けて傾斜しており、前記台島設備から供給される遊技球を受け取る第１傾斜面と、
前記第１傾斜面を遊技球が上流から下流に転動する場合の前記第１傾斜面の下流側に接続され、前記遊技盤から離れる方向に遊技球を流下させる第２傾斜面とを有し、
前記タンクレール部の底板は、
前記球タンク部の底板よりも下方に配置され、
前記第２傾斜面を遊技球が上流から下流に転動する場合の前記第２傾斜面の流下側に接続され、前記遊技盤の幅方向に向けて、前記第１傾斜面とは逆向きに傾斜する第３傾斜面を有し、
前記一つの底板は、前記第３傾斜面が、第１傾斜面に並設され、且つ、第１傾斜面より下方に配置されることで段差が生じる前記第３傾斜面と第１傾斜面との間には、前記第３傾斜面から上方に起立し、前記第１傾斜面に接続される平板状の段差板を有し、
前記段差板と前記遊技盤とは、前記第１傾斜面の鉛直方向における下方に形成される空間を通じて直接に対面し、
前記タンクユニットは、さらに、
前記第１傾斜面の下流部分から前記第３傾斜面の上流部分までの遊技球の流通経路の何れかの位置に設置される球センサ
を備えるタンクユニット。
【請求項２】
さらに、
前記前枠から徐々に遠ざかるように前記第３斜面の流下端から湾曲形成される球圧回避レールを備える請求項１に記載のタンクユニット。
【発明の詳細な説明】
【技術分野】
【０００１】
本発明は、パチンコ機の背面に備えられ、台島設備から供給される遊技球を蓄え排出するタンクユニットに関する。
【背景技術】
【０００２】
パチンコホールにおける遊技球の流れの一つとして次のような流れが例示できる。つまり、遊技球は、遊技者の操作によって遊技盤の盤面上に打ち出される。打ち出された遊技球が盤面に設けられた入賞口に入賞すると、賞球として複数の遊技球が遊技者に払い出される。遊技球の払出は、遊技中頻繁に発生するため、未払い出しが発生しないよう遊技球は、個々のパチンコ機が備える球タンクに蓄えられ、都度球タンクから賞球が供給される。そして、前記球タンクへの遊技球の補給は、パチンコホールに設置される台島設備から各パチンコ機の球タンクに対し行われる。
【０００３】
球タンクへの遊技球の供給は、遊技球を整列させることなく無秩序に行われるため、球タンク内では遊技球が無秩序な状態で蓄えられている。従って、賞球を払い出す払出装置に至るまでに遊技球を整列させるために、球タンクと払出装置との間にはタンクレールと称される部材が設けられている。このタンクレールとは、球タンクから排出される無秩序な遊技球を例えば２列となるように整列さながら案内するレールであり、タンクレールが遊技球を整列させることによって、遊技球が詰まることなくスムーズに払い出しをおこなうことが可能となる。
【０００４】
従来のパチンコ機においては、球タンクとタンクレールとは別体としてパチンコ機の背面に備えられており、また、球タンクの下方にタンクレールが配置される態様となされているため、球タンクとタンクレールとで相当のスペースを消費してしまい、タンクレールの下方に配置される可動役物の駆動機構などを設置するスペースが限定されることとなる。さらに昨今の傾向である、表示装置の大型化によって、表示装置の上方かつタンクレールの下方の空間が狭くなり、ますます前記駆動機構などを設置するスペースが減少することとなっている。
【０００５】
そこで、球タンクとタンクレールとを一体としてタンクユニットを構成し、タンクユニットを小型化することが提案されている（例えば、特許文献１参照）。
【０００６】
特許文献１に記載されるタンクユニットは、遊技球を貯留する球タンクとして機能する貯留部と、貯留した遊技球を流動させつつ整流させてタンクユニットの外部に誘導するタンクレールとして機能する整列レール部とを備える。そして、整列レール部は、貯留部の底部に一体化して設けられる。このように、タンクとしての貯留部とタンクレールとしての整列レール部とが一体であるため、遊技機本体側にタンクレールとタンクの取り付ける際の作業工数を削減すると共に、貯留部と整列レール部とを上下方向に分離する庇部を設けて、貯留部に貯留される遊技球が整列レール部の下流付近に集中しないものとなっている。
【特許文献１】特開２００１−２７６３７０号公報
【発明の開示】
【発明が解決しようとする課題】
【０００７】
しかし、前記特許文献１に記載のタンクユニットは、球タンクとして機能する貯留部の端部中央の下方にタンクレールとして機能する整列レールが配置されており、タンクユニット全体としての上下方向の高さ寸法が大きい。特に近年のパチンコ機においては、タンクユニットの下方に配置される表示装置が大きくなる傾向にあると共に、表示装置周りの装飾可動物や役物などが設置されることがあり、タンクユニットの高さ寸法が大きくなるとタンクユニットの下方における装飾可動物や役物などを設置するスペースに制約が生じてしまうことになる。
【０００８】
本発明は、上記の問題を解決するためになされたもので、球タンクとタンクレールとが一体となされたタンクユニットの上下方向の高さ寸法を小さくして、パチンコ機に取り付けられたタンクユニットの下方空間を広くし、装飾可動物や役物などの設置スペースを確保することを目的とする。
【０００９】
さらに、タンクユニット内で、球貯留量が増しても、球詰まりが起き難く、払出装置に向けて球を供給可能とすることを目的とする。
【課題を解決するための手段】
【００１０】
上記目的を達成するために、本発明に係るタンクユニットは、遊技盤を支持する前枠の裏側に設けられ、台島設備から供給される遊技球を受け取る球タンク部と、前記球タンク部から流下する遊技球を整列させて払出装置に向けて流下させ、前記球タンク部より前記遊技盤から離れた位置に前記球タンク部に並設されるタンクレール部と、少なくとも前記球タンク部の底板と前記タンクレール部の底板とが含まれる連続する一つの底板と、前記一つの底板を囲むように前記一つの底板から起立する側壁とを備え、上方が開口する一つの箱状に形成されるタンクユニットであって、前記球タンク部の底板は、前記遊技盤よりも上方に設けられ、前記遊技盤の幅方向に向けて傾斜しており、前記台島設備から供給される遊技球を受け取る第１傾斜面と、前記第１傾斜面を遊技球が上流から下流に転動する場合の前記第１傾斜面の下流側に接続され、前記遊技盤から離れる方向に遊技球を流下させる第２傾斜面とを有し、前記タンクレール部の底板は、前記球タンク部の底板よりも下方に配置され、前記第２傾斜面を遊技球が上流から下流に転動する場合の前記第２傾斜面の流下側に接続され、前記遊技盤の幅方向に向けて、前記第１傾斜面とは逆向きに傾斜する第３傾斜面を有し、前記一つの底板は、前記第３傾斜面が、第１傾斜面に並設され、且つ、第１傾斜面より下方に配置されることで段差が生じる前記第３傾斜面と第１傾斜面との間には、前記第３傾斜面から上方に起立し、前記第１傾斜面に接続される平板状の段差板を有し、前記段差板と前記遊技盤とは、前記第１傾斜面の鉛直方向における下方に形成される空間を通じて直接に対面し、前記タンクユニットは、さらに、前記第１傾斜面の下流部分から前記第３傾斜面の上流部分までの遊技球の流通経路の何れかの位置に設置される球センサを備えることを特徴とする。
【００１１】
これにより、タンクユニットのタンク部の底板は平板状の斜面であり、かつ、タンクユニットの中で最も下方に突出するタンクレール部がパチンコ機本体から背面側に最も離れた位置に設置されているため、球タンク部の底板下方の空間を十分に広く確保することが可能となり、役物などを設置する空間を確保することが可能となる。
【００１２】
なお、本発明に係るタンクユニットは、タンクレール部が球タンク部に並設されることによって、底板下方の空間を十分広く確保することができる反面、球タンクの下方にタンクレールが配置される従来構造のものと比べて、第１傾斜面の下流部分から第３傾斜面の上流部分までの流通経路に高低差が少ないことから、この流通経路の箇所は、球貯留量が増すに連れて遊技球が流れ難くなることが予想される。
【００１３】
このため、本発明に係るタンクユニットは、先ず、台島設備側からの遊技球の補給を停止させるための球センサをこの流通経路に設置して、球貯留量の必要以上の増加を抑制可能とした。
【００１４】
但し、この流通経路に球センサを配置しても、台島設備が球タンクに遊技球を補給する場合、台島設備は、球センサから球有り情報を受け取ると、遊技球の補給を停止させるが、補給が完全に停止するまでの時間は、球センサの検出感度の設定や、台島設備側の制御プログラムによってばらつきが生じる為、仮に、球センサが遊技球を検出している状態であっても、台島設備によって遊技球がタンクユニットの球タンク部に補給されるような場合には、第１傾斜面の中流或いは上流にも多量に遊技球が貯留された状態になり得る。そして、遊技球が多量に貯留された状態で払出装置が作動する場合には、上記流通経路の球圧が高まり、遊技球が流れ難くなる恐れがある。
【００１５】
このため、本発明に係るタンクユニットは、前記第３傾斜面と前記第１傾斜面との区間を段差板で接続して、段差が生じる構成としたことにより、球タンク部の第１傾斜面からタンクレール部の第３傾斜面の中流域に直接こぼれ落ちることとなり、高い球圧を回避してタンクレール部での球詰まりを回避することができる。
【００１６】
このことは、台島設備側に電気的な球補給量を調整する手段を備えず、単に、台島設備から延びた球供給管が球タンク部に置かれ、球タンク部の遊技球が減ると、遊技球がタンクに流れ落ちるといった、垂れ流しと称される球補給方式の台島設備においても、同様の作用が得られる。
【００１７】
即ち、本発明に係るタンクユニットは、第１傾斜面の中流或いは上流にかけて多量に遊技球が貯留された状態になった際には、遊技球が第１傾斜面からタンクレール部の中流域に直接こぼれ落ちることとなり、高い球圧を回避してタンクレール部での球詰まりを回避することができる。
【００１８】
なお、本発明に係るタンクユニットが、球センサによって検出される球無し状態に基づき遊技球の補給を行う台島設備で使用される場合であれば、上記流通経路の何れかの位置に配置する球センサの感度を上げて敏感に検出信号の出力を行い、台島設備側における遊技球補給制御をいち早くＯＮ／ＯＦＦを切替えることにすれば、球センサが、上記流通経路に配置されている為、タンクレール部の中流から下流には遊技球が存在するが、上記流通経路には遊技球が連続して存在しない状態にすることも可能となる。この場合には、更に、球圧の低い状態を維持して球詰まりを抑止することができる。
【００１９】
さらに、タンクユニットのタンクレール部は、前記前枠から徐々に遠ざかるように前記第３傾斜面の下流端から湾曲形成された球圧回避レールを備えることが好ましい。
【００２０】
これによれば、タンクユニットにおける遊技球の貯留量が増え、球圧が増加しても、この球圧回避レールが球圧を緩和して、遊技球を払出装置に向けて送り出すことができる。
【００２１】
また、球圧回避レールは、前枠から徐々に遠ざかるように湾曲形成されているため、球タンク部の底板下方の空間を更に広く確保することが可能となる。
【発明の効果】
【００２２】
本発明によると、パチンコ機の前枠の裏側に部材を取り付けるためのスペースを広く確保することが可能になる。また、台島設備における遊技球の供給方法の相違にも柔軟に対応し、タンクユニット内における球詰まりを回避することが可能となる。
【発明を実施するための最良の形態】
【００２３】
図１は、台島設備１２０に取り付けられたパチンコ機１００を正面方向から示す斜視図である。
【００２４】
同図に示すように、パチンコ機１００は、パチンコホールに設置される一つの台島設備１２０に横方向に並んで取り付けられており、台島設備１２０の内部でパチンコ機１００の上方に設けられる遊技球供給設備（図示せず）から個々のパチンコ機に対して遊技球が供給されている。
【００２５】
図２は、パチンコ機１００に取り付けられる遊技盤１０１の一例を示す図である。
【００２６】
同図に示す遊技盤１０１は、表示装置１０２と、可動役物１０４と、入賞口１０８とを備える。
【００２７】
表示装置１０２は、大当たりであるか否かの大当たり抽選結果を示す図柄や演出用の画像を遊技者に提示するための装置であり、液晶ディスプレイを備えている。
【００２８】
可動役物１０４は、例えば、表示装置１０２の前面に出没する等、表示装置１０２の表示内容に応じて可動する部材であり、遊技盤１０１の背面であって表示装置１０２の上方に可動役物１０４を駆動するための駆動機構１０７が配置されている。
【００２９】
入賞口１０８は、遊技盤１０１に設けられる遊技球の入り口である。遊技盤１０１の正面を転落する遊技球が入賞口１０８に入ると、一定数の遊技球が賞球として遊技者に払い出される。
【００３０】
入賞口１０８には、遊技球の入賞により賞球を払い出すだけの一般入賞口、抽選の契機となる始動口、大当たりの際に所定の条件で開口する大入賞口などが含まれる。
【００３１】
図３は、台島設備１２０に取り付けられたパチンコ機１００の前枠を開いた状態を示す斜視図である。
【００３２】
同図に示すように、パチンコ機１００は、外枠１１１と前枠１１２とを備えている。
【００３３】
外枠１１１は、パチンコ機１００を台島設備１２０に取り付けるための枠体である。
【００３４】
前枠１１２は、パチンコ機の外枠１１１以外の各部位が取り付けられる部材であり、外枠１１１に対してヒンジを介し回動可能に取り付けられている。
【００３５】
また、前枠１１２は、遊技盤１０１と、基盤ケース１０６と、タンクユニット２００と、駆動機構１０７と、賞球レール２０４と、払出装置２０６とが取り付けられている。
【００３６】
基盤ケース１０６は、表示装置１０２を制御する制御基盤や、大当たりの抽選を行ったり、可動役物１０４の駆動機構１０７が備えるモータなどを制御する制御基盤、電源基盤などが個別に収納される透明樹脂からなるケースである。
【００３７】
駆動機構１０７は、可動役物１０４を駆動させるためのモータやクランク等を備えている。
【００３８】
賞球レール２０４は、タンクユニット２００と払出装置２０６とをつなぐ遊技球の流路である。
【００３９】
払出装置２０６は、制御基盤からの命令に基づき、所定数の遊技球を払い出すことのできる装置である。
【００４０】
タンクユニット２００は、前枠１１２の背面に取り付けられ、かつ、遊技盤１０１の上部より上方に取り付けられる部材であり、台島設備１２０から供給される遊技球を受け止め貯留する機能を備えている。
【００４１】
次に、本願発明の実施の形態であるタンクユニット２００について説明する。
【００４２】
図４は、タンクユニット２００の斜視図である。
【００４３】
図５は、タンクユニットの外周壁の一部を切り欠いた斜視図である。
【００４４】
これらの図に示すように、タンクユニット２００は、上方が開口する１つの箱状に形成され、台島設備１２０から供給される遊技球を一時的に貯留し、かつ、払出装置２０６に遊技球を供給するために遊技球を整列させる機能を備えている。
【００４５】
タンクユニット２００は、第１底板２１２と、第２底板２１４と、第３底板２１６と、段差板２１８と、外周壁２２０と、球センサ２２４と、球圧回避レール２２８とを備えている。また、タンクユニット２００は、概ね球タンク部２０１と、タンクレール部２０２とに分けられる。
【００４６】
球タンク部２０１は、台島設備１２０から落下する遊技球を受け取る部位であり、受け取った遊技球を一時的に保持する機能を有する部位である。球タンク部２０１は、第１底板２１２と、第２底板２１４と、第１底板２１２と第２底板２１４との外周から上方に起立する外周壁２２０とにより構成されている。
【００４７】
一方、タンクレール部２０２は、第１底板２１２や第２底板２１４から流下する遊技球を転動させながら整列させて払出装置２０６に向けて流下させる機能を有する部位である。タンクレール部２０２は、第３底板２１６と、第３底板２１６の外周から上方に起立する段差板２１８及び外周壁２２０、さらに、球圧回避レール２２８により構成されている。
【００４８】
第１底板２１２と、第２底板２１４と、第３底板２１６と、段差板２１８とは、タンクユニット２００の一つの底板を形成しており、前記一つの底板の上面は、連続する一つの底面を形成している。
【００４９】
外周壁２２０は、第１底板２１２、第２底板２１４および第３底板２１６により構成される一つの底板を囲むように、一つの底板の外周に起立している。外周壁２２０は、タンクユニット２００内に遊技球を貯留する機能を備えている。また、外周壁２２０の内、球タンク部２０１の長手方向に沿って伸びる壁の両端には、タンクユニット２００を前枠１１２に取り付けるための取付部２１０が設けられている。
【００５０】
第１底板２１２は、前枠１１２側から奥に向けて突出し、前枠１１２の幅方向に向けて傾斜する板状の部材であり、その上面は、タンクユニット２００中最大の面積を有する第１傾斜面を形成している。
【００５１】
第２底板２１４は、前枠１１２から奥に向けて突出し前枠１１２から離れるにつれて徐々に下がるように傾斜する板状の部材であり、第１傾斜面の下流側に接続されている。また、その上面は、第２傾斜面を形成している。
【００５２】
段差板２１８は、第１底板２１２の前枠１１２から遠い辺から垂下状に設けられる板状の部材であり、その下辺は、第３底板２１６と接続している。段差板２１８と遊技盤１０１とは、球タンク部２０１の底板の下方に形成される空間を通じて直接に対面している。
【００５３】
第３底板２１６は、第１底板２１２に対し前枠１１２の反対側に配置され、かつ、第１底板より下方に配置される帯状の部材であり、その幅は、遊技球の直径の約２倍に相当している。第３底板２１６の上面は、第３傾斜面を形成しており、第１傾斜面と反対方向に傾斜している。
【００５４】
球センサ２２４は、外周壁２２０のうち第２底板２１４から立設される外周壁２２０に設けられている。
【００５５】
なお、球センサ２２４は、第１底板２１２の下流部分から第３底板２１６の上流部分までの遊技球の流通経路の何れかの位置に設置されれば良いが、特に、図４に示すような、第１底板２１２に沿って落下する遊技球が直接衝突する位置に設置されれば、遊技球からの衝撃を最も強く受け、センシングが容易となるため好ましい。
【００５６】
球圧回避レール２２８は、前枠１１２から徐々に遠ざかり、かつ、第３傾斜面と同様に斜め下方に向けて第３底板２１６の下流端から延設されるレールであり、第３底板２１６を流れる遊技球を引き続き案内し、賞球レール２０４まで案内する。また、球圧回避レール２２８は、幅方向の中央部に長さ方向に延びる仕切り壁２２９を備えており、第３底板２１６から流下する遊技球が２列に整列するものとなっている。さらに、球圧回避レール２２８の上方には、前記仕切り壁２２９により分離された二列の遊技球に作用して遊技球を上下方向にならして整列させることのできる球ならしが設置されている。
【００５７】
次に、タンクユニット２００の使用態様を説明する。
【００５８】
図５に示すように、台島設備１２０から落下するようにして供給される遊技球２２６は、第１底板２１２に受け止められ、図中に示す矢印に沿って第１傾斜面を流下する。この際、流下する遊技球２２６の内、いくつかの遊技球２２６が球センサ２２４に衝突する。ここで、球センサ２２４の感度を上げて敏感に検出信号の出力を行い、台島設備１２０が遊技球補給制御をいち早くＯＮ／ＯＦＦを切り替えることができる場合、タンクユニット２００の内部には多くの遊技球２２６が貯留することはなく、球センサ２２４から下流にのみ遊技球が貯留されることになる。従って、タンクユニット２００内に球圧の高まる箇所が存在し難くなり、結果として球詰まりを抑止することが可能となる。
【００５９】
また、タンクユニット２００内部の容量を大きくする必要が無くなり、タンクユニット２００全体として厚さを薄くすることが可能となる。
【００６０】
一方、球センサ２２４の感度が鈍く設定されていたり、台島設備１２０の制御プログラムにより、球センサ２２４が遊技球を検出している状態であっても、遊技球がタンクユニットの球タンク部２０１にある程度補給される場合、図６に示すように、第２底板２１４から第１底板２１２の中流にかけて多量に遊技球２２６が貯留された状態となる。この状態にて払出装置２０６が作動し、遊技球２２６がさらに追加補給されると、遊技球２２６は第１底板２１２からタンクレール部２０２の第３底板２１６の中流域に直接こぼれ落ちることとなる。これにより、第２底板２１４近傍に発生している高い球圧状態の部分を回避して、タンクレール部２０２での球詰まりを回避することが可能となる。
【００６１】
さらに、球センサ２２４からの信号にかかわりなく、台島設備１２０から所定の間隔で遊技球が供給されるような場合、図７に示すように、タンクユニット２００内に遊技球が多数貯留されることになる。この場合、破線の矢印で示すように第１底板２１２から第３底板２１６に向けて遊技球２２６が直接落下することになり、当該部分の球圧が上昇する。しかし、球圧回避レール２２８が球圧を緩和する方向に湾曲形成されているため、遊技球２２６が詰まることを回避することが可能となり、遊技球を払出装置２０６に送り出すことができる。
【００６２】
以上のようなタンクユニット２００を用いれば、次のような効果も享受することが可能となる。
【００６３】
図８は、前枠に取り付けられるタンクユニットを示す図であり、(ａ)は背面図、（ｂ）は側面図である。
【００６４】
同図（ａ）に示すように、タンクユニット２００は、球タンク部２０１とタンクレール部２０２とを備えているにもかかわらず、全体として薄く形成されており、タンクユニット２００の下方に広い空間を確保することが可能となる。
【００６５】
さらに、同図（ｂ）に示すように、タンクユニット２００の内、最も下方に突出するタンクレール部２０２が前枠１１２から最も遠い部分に配置されており、垂下状に配置される段差板２１８と前枠１１２との間は、他の部材などを配置しうる新しい空間が創出される。
【００６６】
従って、タンクユニット２００の下方であって、段差板２１８と前枠１１２との間に一部が配置される駆動機構１０７に対しては、十分に広い空間を確保することができる。ひいては、駆動機構１０７の設計の自由度を向上させ、複雑な機構を採用して可動役物１０４を複雑に可動させることも可能となり、パチンコ機１００の演出効果を高めることが可能となる。
【００６７】
また、球圧回避レール２２８は、さらに前枠１１２から遠ざかるように湾曲形成されているため、さらに球タンク部２０１の下方空間を広く確保することが可能となる。
【００６８】
以上、本願発明の実施の形態に係るタンクユニット２００について説明したが、本発明は、この実施の形態に限定されるものではない。
【００６９】
例えば、球センサ２２４の取付位置は、第２底板２１４から立設される外周壁に限られない。
【００７０】
図９は、球センサの取り付け箇所の一変形例を示す図である。
【００７１】
同図に示すように、球センサ２２４は、第２底板２１４に取り付けられる。このように、球センサ２２４は、第２底板２１４に取り付けられることによっても、実施の形態と同様に、払い出し球が不足しないために十分な遊技球をタンクユニットに蓄えることが可能になる。
【産業上の利用可能性】
【００７２】
本発明は、パチンコ機に取り付けられるタンクユニットに適用できる。
【図面の簡単な説明】
【００７３】
【図１】台島設備に取り付けられたパチンコ機を示す斜視図。
【図２】遊技盤の一例を示す正面図。
【図３】台島設備に取り付けられたパチンコ機の開いた状態示す斜視図。
【図４】タンクユニットの外観を示す斜視図。
【図５】タンクユニットの外周壁の一部を切り欠いて示す斜視図。
【図６】タンクユニットに遊技球が貯球される場合を示す斜視図
【図７】タンクユニットに多くの遊技球が貯球される場合を示す斜視図。
【図８】パチンコ機に取り付けられるタンクユニットを示す図。
【図９】球センサの取付位置の一変形例を示す斜視図。
【符号の説明】
【００７４】
１００…パチンコ機、２００…タンクユニット、２０１…球タンク部、２０２…タンクレール部、２１２…第１底板、２１４…第２底板、２１６…第３底板、２１８…段差板、２２０…外周壁、２２４…球センサ、２２８…球圧回避レール
【図１】
2009119136.tif 000003
【図２】
2009119136.tif 000004
【図３】
2009119136.tif 000005
【図４】
2009119136.tif 000006
【図５】
2009119136.tif 000007
【図６】
2009119136.tif 000008
【図７】
2009119136.tif 000009
【図８】
2009119136.tif 000010
【図９】
2009119136.tif 000011